(57)【要約】【課題】光信号の伝送効率の低下を抑制する。【解決手段】送信側に配された送信側光電素子２０Ｌと受信側に配された受信側光電素子２０Ｒとを並べて配置し、樹脂製のハウジング３０によって両光電素子２０，２０を一括して囲った送受信一体型の光ユニット１０であって、前記送信側光電素子２０Ｌが配された送信側領域４０Ｌから前記受信側光電素子２０Ｒが配された受信側領域４０Ｒへの光を遮る導電性を有する金属シェル６０を備えているところに特徴を有する。【選択図】図１
2013228435.tif 000002
【特許請求の範囲】
【請求項１】
送信側の発光型光電素子と受信側の受光型光電素子とが樹脂製のハウジングに一括して囲われた送受信一体型の光ユニットであって、
前記発光型光電素子が配された送信側領域から前記受光型光電素子が配された受信側領域への光を遮る導電性を有する金属シェルを備えていることを特徴とする光ユニット。
【請求項２】
前記ハウジングは、一対の光ファイバの端末が接続される一対のスリーブと、
前記発光型光電素子からの出力光を一方の前記スリーブに接続された前記光ファイバに対して集光する送信側レンズと、
他方の前記スリーブに接続された前記光ファイバから受光した入力光を前記受光型光電素子に向けて集光する受信側レンズとを備えて構成されており、
前記金属シェルは、前記送信側レンズと、前記受光型光電素子との間に配される遮光壁を備えていることを特徴とする請求項１記載の光ユニット。
【請求項３】
前記ハウジングは、光透過性を有する樹脂によって構成され、
前記金属シェルは、前記ハウジングにインサート成形されており、
前記金属シェルは、前記ハウジングの外面から突出することで、前記送信側領域もしくは前記受信側領域の周囲に配された庇部を備えていることを特徴とする請求項１または請求項２記載の光ユニット。
【請求項４】
前記発光型光電素子および前記受光型光電素子は、回路基板に実装されており、
前記送信側領域と前記受信側領域とは、前記回路基板と前記ハウジングとによって囲まれることで閉鎖された領域とされており、
前記金属シェルは、伝熱性に優れた金属によって構成されていることを特徴とする請求項３記載の光ユニット。
【請求項５】
前記遮光壁は、前記回路基板に設けられたグランドパターンに導通可能に接続されていることを特徴とする請求項４記載の光ユニット。
【請求項６】
前記送信側領域と前記受信側領域との間には、複数の前記遮光壁が設けられていることを特徴とする請求項２記載の光ユニット。
【請求項７】
前記金属シェルは、前記発光型光電素子および前記受光型光電素子を囲う天井板を備えており、
前記複数の遮光壁は、天井板を屈曲させることで、一体に形成されていることを特徴とする請求項６記載の光ユニット。
【発明の詳細な説明】
【技術分野】
【０００１】
本発明は、光ユニットに関する。
【背景技術】
【０００２】
従来、光通信に用いられる光ユニットとして、下記特許文献１に記載のものが知られている。この光ユニットは、回路基板に実装された光電素子と、この光電素子を囲うように位置決めされて回路基板に固定されるスリーブ部材とを備えて構成されている。スリーブ部材は、光透過性を有する樹脂からなり、光ファイバの端末に接続されるフェルールが嵌合されるスリーブを有している。そして、スリーブ内にフェルールが嵌合されると、光電素子と光ファイバとが光学的に結合され、光電素子によって電気信号と光信号とが相互に変換されることで通信が行われる。
【０００３】
ところで、近年、送信側の光電素子と受信側の光電素子とを並べて配置した送受信一体型の光ユニットが検討されている。一般に、送受信一体型の光ユニットでは、送信側に設けられる発光型の光電素子と受信側に設けられる受光型の光電素子とが並んで配置されていることから、送信側から受信側へ光電素子の光が漏れることによって両光電素子間で光のクロストークが発生する。この光的クロストークの解決手段としては、送信側の光電素子と受信側の光電素子との間に樹脂製の突起を設けて漏れ光を遮光し、両光電素子間における光的クロストークの影響を低減させる方法がある。このような技術としては、特許文献１および特許文献２に記載のものが知られている。
また、光電素子からの光を外部へ漏らさないように、光を遮光するシャッターを有する光ユニットとして、特許文献３に記載のものが知られている。このシャッターは、外来光や塵などが外部から光ユニット内へ侵入することを抑制するシャッターとしても機能するようになっている。
【先行技術文献】
【特許文献】
【０００４】
【特許文献１】特開２０１０−２６３４５号公報
【特許文献２】特開２０１１−１０００３３号公報
【特許文献３】特開２００４−２２６６６５号公報
【発明の概要】
【発明が解決しようとする課題】
【０００５】
ところが、特許文献１および特許文献２に記載の手段によると、送信側の光電素子と受信側の光電素子間の光的クロストークを低減することはできるが、両光電素子間で生じる電磁的相互干渉(電気的クロストーク）を低減することはできず、光信号の伝送効率が低下してしまう。また、スリーブ部材が光透過性を有しているため、外部から外来光が差し込むと受信側の光電素子に外来光があたることで光電素子の特性が変化したり、受信側における光信号の誤り率が大きくなったりする虞がある。
特許文献３の光ユニットでは、シャッターによって外来光の影響を低減させることができるが、両光電素子間における光的クロストークや電気的クロストークを低減させることができない。
【０００６】
本発明は上記のような事情に基づいて完成されたものであって、光信号の伝送効率の低下を抑制することを目的とする。
【課題を解決するための手段】
【０００７】
上記の目的を達成するための手段として本発明は、送信側の発光型光電素子と受信側の受光型光電素子とが樹脂製のハウジングに一括して囲われた送受信一体型の光ユニットであって、前記発光型光電素子が配された送信側領域から前記受光型光電素子が配された受信側領域への光を遮る導電性を有する金属シェルを備えているところに特徴を有する。
このような構成の光ユニットによると、送信側領域から受信側領域へ漏れようとする漏れ光を金属シェルによって遮ることができるので、両光電素子間の光的クロストークを低減させることができる。また、導電部材が導電性を有していることから、両光電素子間の電気的クロストークも低減させることができる。これにより、光信号の伝送効率の低下を抑制することができる。
【０００８】
本発明の実施の態様として、以下の構成が好ましい。
前記ハウジングは、一対の光ファイバの端末が接続される一対のスリーブと、前記発光型光電素子からの出力光を一方の前記スリーブに接続された前記光ファイバに対して集光する送信側レンズと、他方の前記スリーブに接続された前記光ファイバから受光した入力光を前記受光型光電素子に向けて集光する受信側レンズとを備えて構成されており、前記金属シェルは、前記送信側レンズと、前記受光型光電素子との間に配される遮光壁を備えていることが好ましい。
発光型光電素子が発する出力光は、送信側レンズに向けて出力されるが、出力光の一部が送信側レンズの表面において受信側領域に向かって反射する虞があり、反射した強い光が受光型光電素子に直接あたると光信号の伝送効率が大きく低下する虞がある。ところが、上記のような構成によると、送信側レンズによって反射した光が受光型光電素子に直接あたることを遮光壁によって防止することができるので、より光信号の伝送効率の低下を抑制することができる。
【０００９】
前記ハウジングは、光透過性を有する樹脂によって構成され、前記金属シェルは、前記ハウジングにインサート成形されており、前記金属シェルは、前記ハウジングの外面から突出することで、前記送信側領域もしくは前記受信側領域の周囲に配された庇部を備えている構成としてもよい。
ハウジングが光透過性を有しているため、ハウジングにおけるスリーブ側から外来光が差し込むと光電素子に外来光があたり、光電素子の特性が変化してしまう。また、受信側では、光信号の誤り率が大きくなる虞がある。ところが、上記のような構成によると、ハウジングから外側に突出した庇部によって外来光を遮ることができるので、光電素子の特性が変化することを抑制すると共に、受信側での光信号の誤り率を小さくすることができる。
【００１０】
前記発光型光電素子および前記受光型光電素子は、回路基板に実装されており、前記送信側領域と前記受信側領域とは、前記回路基板と前記ハウジングとによって囲まれることで閉鎖された領域とされており、前記金属シェルは、伝熱性に優れた金属によって構成されていてもよい。
このような構成によると、金属シェルの庇部が放熱部として機能することで、閉鎖された送信側領域や受信側領域内にこもる熱を放熱することができる。これにより、各光電素子や光電素子の周辺における他の部材に及ぼす熱の影響を低減させることができる。
【００１１】
前記遮光壁は、前記回路基板に設けられたグランドパターンに導通可能に接続されている構成としてもよい。
このような構成によると、遮光壁を例えば半田などによりグランドパターンに接続するリード部として兼用することができる。これにより、グランドパターンに接続するリード部を金属シェルに別途設ける場合に比べて、光ユニットの生産コストを低減させることができる。
【００１２】
前記送信側領域と前記受信側領域との間には、複数の前記遮光壁が設けられている構成としてもよい。
このような構成によると、両光電素子間の電気的クロストークをより確実に低減させることができる。これにより、光信号の伝送効率の低下をさらに抑制することができる。
【００１３】
前記金属シェルは、前記発光型光電素子および前記受光型光電素子を囲う天井板を備えており、前記複数の遮光壁は、天井板を屈曲させることで、一体に形成されている構成としてもよい。
このような構成によると、遮光壁を複数設けながら、遮光壁の部品点数を１つとして取り扱うことができるので、複数の遮光壁を個別に構成する場合に比べて、部品管理の手間を軽減することができる。
【発明の効果】
【００１４】
本発明によれば、光信号の伝送効率の低下を抑制することができる。
【図面の簡単な説明】
【００１５】
【図１】実施形態１に係る光ユニットの断面図
【図２】実施形態２に係る光ユニットの断面図
【図３】実施形態３に係る光ユニットの断面図
【図４】実施形態４に係る光ユニットの断面図
【発明を実施するための形態】
【００１６】
＜実施形態１＞
本発明の実施形態１について図１を参照して説明する。
本実施形態は、回路基板５０の上面に実装された一対の光電素子２０Ｌ，２０Ｒと、一対の光電素子２０Ｌ，２０Ｒの上部を囲うように回路基板５０に固定されるハウジング３０と、ハウジング３０内にインサート成形された金属シェル６０とを備えた送受信一体型の光ユニット１０を例示している。
【００１７】
回路基板５０には、プリント配線技術により図示しない導電路が形成されている。回路基板５０の上面には、一対の光電素子２０Ｌ，２０Ｒが、例えばリフローはんだ付け等により導電路と接続されている。一対の光電素子２０Ｌ，２０Ｒは、それぞれがブロック状に形成されており、図示左側の光電素子が出力光Ｌ１を発する送信側光電素子(「発光型光電素子」に相当)２０Ｌとされ、図示右側の光電素子が入力光Ｌ２を受光する受信側光電素子(「受光型光電素子」に相当)２０Ｒとされている。送信側光電素子２０Ｌは、後述する送信側レンズ３６Ｌへの指向性を有しており、送信側光電素子から発せられる出力光Ｌ１は、ぼぼ全てが送信側レンズ３６Ｌへ出射されるようになっている。
また、両光電素子２０，２０の上面には、図示しない光電素子活性層が形成されており、この光素子活性層において、電気信号と光信号とが相互に変換される。
【００１８】
回路基板５０には、上下方向に貫通するスルーホール５１が形成されている。スルーホール５１の内周面にはアース接続されたグランドパターン(図示省略)が形成されている。
【００１９】
ハウジング３０は、光透過性を有する樹脂(例えば、ＰＥＩ(ポリエーテルイミド樹脂)，ＰＣ(ポリカーボネート樹脂)，ＰＭＭＡ(ポリメタクリル酸メチル樹脂)等）によって構成されている。また、ハウジング３０は、一対の光電素子２０，２０の上部を囲むように覆った囲部３１と、囲部３１の上部に一体に形成されたスリーブ部３２とを備えて構成されている。
囲部３１は、一対の光電素子２０，２０を一括して囲うフード状に形成されており、一対の光電素子２０，２０に被せるように回路基板５０に組み付けられている。つまり、一対の光電素子２０，２０が収容された空間は、閉鎖された領域となっている。
【００２０】
スリーブ部３２は、囲部３１から上方に延びた一対のスリーブ３３，３３を左右方向に連結して形成されており、一対のスリーブ３３，３３の間は、相手側光コネクタとの嵌合のため、スリーブ部３２の上端から上下方向にくり貫かれた形状とされている。
各スリーブ３３の内部には、光ファイバＦ１の端末に装着されたフェルールＦを内部に嵌合する有底の収容部３４が設けられている。収容部３４の底壁３４Ａにおける中央には、収容部３４内に嵌合されるフェルールＦの光ファイバＦ１との干渉を防ぐために逃がし穴３５が設けられている。一対のスリーブ部３２の下部には、一対の光電素子２０，２０と一対の光ファイバＦ１とを光学的に結合する左右一対の凸レンズ３６，３６が一体に形成されている。一対の凸レンズ３６，３６は、囲部３１の上側に位置する天井壁３１Ａから下方に膨出した形態をなしており、各凸レンズ３６の軸心がスリーブ３３の軸心とそれぞれ同軸となるように形成されている。一対の凸レンズ３６，３６のうち、図示左側の凸レンズ３６は送信側レンズ３６Ｌとされ、送信側レンズ３６Ｌの軸心が回路基板５０の送信側光電素子２０Ｌと一致するように設定されている。また、一対の凸レンズ３６，３６のうち、図示右側の凸レンズ３６は受信側レンズ３６Ｒとされ、受信側レンズ３６Ｒの軸心が回路基板５０の受信側光電素子２０Ｒと一致するように設定されている。
【００２１】
送信側レンズ３６Ｌは、送信側光電素子２０Ｌから発せられた出力光Ｌ１を、スリーブ３３内を通してフェルールＦ内の光ファイバＦ１に集光するようになっており、送信側光電素子２０Ｌから発せられた光信号が、送信側レンズ３６Ｌとスリーブ３３との間の光路を通して光ファイバＦ１に送信されるようになっている。また、受信側レンズ３６Ｒは、光ファイバＦ１から発せられた入力光Ｌ２を受信側光電素子２０Ｒに対して集光するようになっており、光ファイバＦ１から発せられた光信号が受信側レンズ３６Ｒとスリーブ３３との間の光路を通して受信側光電素子２０Ｒに受け渡されるようになっている。なお、図示省略しているが、送信側光電素子２０Ｌと受信側光電素子２０Ｒとでは、光電素子の高さ寸法および受発光径が異なっており、凸レンズ３６と光ファイバＦとの間で最適な光学的結合を行うために、送信側レンズ３６Ｌと受信側レンズ３６Ｒとでは凸レンズの大きさと形状とが変更されている。
【００２２】
金属シェル６０は、導電性を有する金属板材をプレス加工して形成されている。金属シェル６０は、回路基板５０に実装された一対の光電素子２０，２０の前後両側を囲うような形態をなしており、囲部３１とスリーブ部３２との間に配された天井板６１を備えている。
【００２３】
天井板６１は、略矩形状をなし、囲部３１とスリーブ部３２との間において回路基板５０とほぼ平行となるように配されている。天井板６１には、一対の凸レンズ３６，３６と対応する位置に左右一対の貫通孔６３，６３が設けられている。貫通孔６３は、円形をなし、天井板６１を上下方向に貫通して形成されている。
【００２４】
また、各貫通孔６３は、貫通孔６３の軸心が、対応する凸レンズ３６の軸心と同軸となるように配されている。また、貫通孔６３は、対応する凸レンズ３６の外径よりも僅かに大きく形成されており、凸レンズ３６とスリーブ３３との間の光路が天井板６１によって遮られないようになっている。
【００２５】
さて、金属シェル６０の天井板６１は、同天井板６１の下面に設けられた平板状の遮光壁６４と、天井板６１の左右方向両端縁から互いに離れる方向に延出する一対の庇部６５とを備えている。
【００２６】
遮光壁６４は、天井板６１の左右方向略中央部から回路基板５０まで延びた形態をなしている。また、遮光壁６４は、送信側光電素子２０Ｌおよび送信側レンズ３６Ｌが配された送信側領域４０Ｌと受信側光電素子２０Ｒおよび受信側レンズ３６Ｒが配された受信側領域４０Ｒとの間に配されており、送信側領域４０Ｌと受信側領域４０Ｒとの間を完全に遮断している。これにより、送信側領域４０Ｌおよび受信側領域４０Ｒは、囲部３１と遮光壁６４とによってそれぞれ閉鎖された空間となっている。
また、遮光壁６４の下端部には、基板接続部６６が形成されている。この基板接続部６６は、回路基板５０のスルーホール５１に挿入可能とされており、スルーホール５１内に挿入された状態で、例えばフロー半田付け等により、スルーホール５１のグランドパターンと接続されている。これにより、ハウジング３０と回路基板５０とが固定されると共に、金属シェル６０がアース接続された状態となっている。
【００２７】
一方、一対の庇部６５は、ハウジング３０の左右方向両側面から外方に向かって真っ直ぐ突出した形態をなし、送信側領域４０Ｌの左側上部および受信側領域４０Ｒの右側上部に配されている。すなわち、庇部６５は、スリーブ部３２の左右方向両側周辺部と一対の光電素子２０，２０との間を遮る庇状に形成されている。
【００２８】
本実施形態の光ユニット１０は以上のような構成であって、続いて、光ユニット１０の作用・効果を説明する。
光ユニット１０において、光信号の受信が行われる際には、まず、光ファイバＦ１から発せられる入力光Ｌ２がスリーブ３３を通して受信側レンズ３６Ｒに入射される。そして、受信側レンズ３６Ｒが受けた入力光Ｌ２が受信側光電素子２０Ｒに向けて集光され、光ファイバＦ１から受信側光電素子２０Ｒに光信号が受け渡される。
【００２９】
一方、光信号の通信における送信が行われる際には、まず、送信側光電素子２０Ｌから出力光Ｌ１が送信側レンズ３６Ｌに向けて出射される。このとき、送信側光電素子２０Ｌは、送信側レンズ３６Ｌへの指向性を有していることから、送信側光電素子２０Ｌが発する出力光Ｌ１は、ほぼ全てが送信側レンズ３６Ｌに出射される。そして、送信側レンズ３６Ｌが受けた出力光Ｌ１は、スリーブ３３内を通して光ファイバＦ１に集光され、送信側光電素子２０Ｌから光ファイバＦ１に光信号が送信される。
ここで、送信側光電素子２０Ｌから発せられる出力光Ｌ１は、ほぼ全てが送信側レンズ３６Ｌに出射されるものの、送信側レンズ３６Ｌの表面にあたった出力光Ｌ１の一部が送信側レンズ３６Ｌの表面において反射される。反射された強い光Ｒ１や送信側領域４０Ｌの内壁（囲部３１の内壁および回路基板５０の上面）によって更に反射された弱い光Ｒ２などは、受信側領域４０Ｒへ向かう虞があり、反射光が受信側領域４０Ｒ内に漏れると、両光電素子２０，２０間で光的クロストークが発生し、光信号の伝送効率が低下してしまう。
【００３０】
ところが、本実施形態によると、送信側領域４０Ｌと受信側領域４０Ｒとの間には、送信側領域４０Ｌと受信側領域４０Ｒとを完全に遮断する遮光壁６４が設けられていることから、送信側レンズ３６Ｌから受信側領域４０Ｒに向かって反射した強い光Ｒ１や囲部３１の内壁によって更に反射した弱い光Ｒ２などの全ての光が遮光壁６４によって完全に遮られる。これにより、両光電素子２０，２０間における光的クロストークを低減させることができる。
また、光電素子２０は、光素子活性層において電気信号と光信号とを相互に変換することから、両光電素子２０，２０間で生じる電磁的相互干渉(電気的クロストーク）が懸念される。ところが、本実施形態によると、遮光壁６４が導電性を有する金属で形成されていることから、両光電素子２０，２０間の電気的クロストークも低減させることができる。すなわち、本実施形態によると、光および電気の両面においてクロストークを低減させることができ、光信号の伝送効率の低下を抑制することができる。
【００３１】
上記の以外の方法では、例えば、樹脂によって形成した遮光壁の表面にめっき処理を施すことによって導電層を形成し、両光電素子間における光および電気の両面においてクロストークを低減させる方法も考えられるが、樹脂の表面に導電層を形成するめっき工程が必要になるため、生産コストが高くなってしまう。また、光ユニットを構成する前に遮光壁に他の部材が接触するなどして導電層が剥離してしまう虞がある。ところが、本実施形態によると、遮光壁６４は導電性を有する金属によって構成されていることから、別途導電層を形成する必要がないと共に、導電層が剥離することもない。これにより、樹脂の表面に導電層を形成する場合に比べて、生産コストを低減させることができると共に、電気的クロストークを安定して低減させることができる。
また、本実施形態によると、遮光壁６４の下端部に、回路基板５０のグランドパターンと接続される基板接続部６６を設けていることから、遮光壁６４をグランドパターンに接続するリード部として兼用することができる。これにより、リード部を金属シェルに別途設ける場合に比べてさらに生産コストを低減させることができる。
【００３２】
ところで、本実施形態のように、光ファイバＦ１と凸レンズ３６，３６との間の光路を形成するために、ハウジング３０全体が光透過性の樹脂によって形成される場合がある。ハウジング３０が光透過性を有していると、フェルールＦが嵌合されるスリーブ部３２の周辺部から回路基板５０側に向かって外来光が挿し込んで、外来光が光電素子２０にあたり、光電素子２０の特性が変化したり、受信側での光信号の誤り率が大きくなったりする虞がある。ところが、本実施形態によると、ハウジング３０から外側に突出した庇部６５によって、スリーブ部３２の周辺部から回路基板５０側に向かって挿し込む外来光Ｌ３を遮ることができるので、光電素子２０の特性が変化することを抑制することができると共に、受信側での光信号の誤り率を小さくすることができる。
【００３３】
さらに、光ユニット１０において光信号の通信が行われると、送信側光電素子２０Ｌが出力光Ｌ１を発すると共に、受信側光電素子２０Ｒに入力光Ｌ２が集光される。すると、閉鎖された送信側領域４０Ｌと閉鎖された受信側領域４０Ｒとの双方において熱がこもり、温度が上昇する虞がある。ところが、本実施形態によると、スリーブ部３２の外面から外方に突出した庇部６５が放熱部として機能し、送信側領域４０Ｌや受信側領域４０Ｒ内にこもる熱を放熱することができる。これにより、各光電素子２０，２０や光電素子２０の周辺における他の部材に及ぼす熱の影響を低減させることができる。
【００３４】
以上のように、本実施形態によると、遮光壁６４によって両光電素子２０，２０間における光および電気の両面においてクロストークを低減させることができる。また、放熱機能を備えた庇部６５によって、外来光Ｌ３が光ユニット１０内に挿し込むことを遮ることができるようになっている。これにより、光信号の伝送効率の低下を抑制すると共に、受信側での光信号の誤り率を小さくすることができる。
【００３５】
＜実施形態２＞
次に、本発明の実施形態２について、図２を参照して説明する。
実施形態２は、実施形態１における金属シェル６０の形状を変更したものであって、実施形態１と共通する構成、作用、および効果については重複するため、その説明を省略する。また、実施形態１と同じ構成については同一の符号を用いるものとする。
【００３６】
実施形態２の金属シェル１６０は、左右方向略中央部において、左右に二分された形態をなしており、左側シェル１６０Ｌと右側シェル１６０Ｒとを備えて構成されている。
左側シェル１６０Ｌの右側縁には、回路基板５０まで延びる左側遮光壁１６４Ｌが設けられており、右側シェル１６０Ｒの左側縁には、回路基板５０まで延びる右側遮光壁１６４Ｒが設けられている。つまり、送信側領域４０Ｌと受信側領域４０Ｒとは、左側遮光壁１６４Ｌと右側遮光壁１６４Ｒとの複数の遮光壁１６４によって、遮られた形態となっている。これにより、両光電素子２０，２０間の電気的クロストークを、より確実に低減させることができ、光信号の伝送効率の低下をさらに抑制することができる。
【００３７】
＜実施形態３＞
次に、本発明の実施形態３について、図３を参照して説明する。
実施形態３は、実施形態１における金属シェル６０における遮光壁６４の形状を変更したものであって、実施形態１と共通する構成、作用、および効果については重複するため、その説明を省略する。また、実施形態１と同じ構成については同一の符号を用いるものとする。
【００３８】
実施形態３の金属シェル２６０の遮光壁２６４は、天井板２６１の左右方向略中央部から回路基板５０に向けて下方に真っ直ぐ延びた形態をなし、送信側レンズ３６Ｌの表面と受信側光電素子２０Ｒの上面である光素子活性層との間を遮る位置（受信側レンズ３６Ｒの下端位置よりもやや下側の位置）まで延びた形態をなしている。つまり、送信側領域４０Ｌの上半分と受信側領域４０Ｒの上半分とが遮光壁２６４によって遮られ、送信側領域４０Ｌの下半分と受信側領域４０Ｒの下半分とが繋がった状態となり、両光電素子２０，２０が左右方向に対向した状態となっている。なお、図３には示していないが、金属シェル２６０は、回路基板５０のグランドパターンにアース接続されている。
【００３９】
ところで、送信側領域４０Ｌから受信側領域４０Ｒへ向かう光は、送信側レンズ３６Ｌから受信側領域４０Ｒに向かって反射した光が最も強く、この強い光Ｒ１が受信側光電素子２０Ｌの光素子活性層に入射されると光信号の伝送効率が著しく低下してしまう。ところが、本実施形態によると、送信側レンズ３６Ｌの表面と受信側光電素子２０Ｒの上面である光素子活性層との間を遮る位置に遮光壁２６４が配されているので、送信側レンズ３６Ｌから受信側領域４０Ｒに向かって反射した強い光Ｒ１を遮光壁２６４によって遮ることができる。これにより、両光電素子２０，２０間の光的クロストークを低減させることができる。
一方、電気的クロストークは、送信側領域４０Ｌと受信側領域４０Ｒとの上半分を遮光壁２６４によって遮られることで、両光電素子２０，２０間の電気的クロストークを低減させることができるようになっている。
【００４０】
＜実施形態４＞
次に、本発明の実施形態４について、図４を参照して説明する。
実施形態４は、実施形態１における金属シェル６０の天井板６１の形状を変更したものであって、実施形態１と共通する構成、作用、および効果については重複するため、その説明を省略する。また、実施形態１と同じ構成については同一の符号を用いるものとする。
【００４１】
実施形態４の金属シェル３６０の天井板３６１は、同天井板３６１の左右方向略中央部において下側に凹んだ凹部３６７を有した形態に形成されている。凹部３６７は、その下面が回路基板５０の上面に沿った形態とされ、凹部３６７における左右両側に位置する一対の側板が送信側領域４０Ｌと受信側領域４０Ｒとの間を遮る一対の遮光壁３６４，３６４とされている。また、凹部３６７における底壁は回路基板５０の図示しないグランドパターンに接続される基板接続部３６６とされている。
【００４２】
つまり、送信側領域４０Ｌと受信側領域４０Ｒとは、一対の遮光壁３６４，３６４によって、遮られた形態となっている。これにより、両光電素子２０，２０間の電気的クロストークをより確実に低減させることができ、光信号の伝送効率の低下をさらに抑制することができる。
また、本実施形態によると、遮光壁３６４を複数設けながら、金属シェル３６０を１部材として取り扱うことができるので、複数の金属シェルによって複数の遮光壁を構成する場合に比べて、部品管理やインサート成形時の手間を軽減することができる。
【００４３】
＜他の実施形態＞
本発明は上記記述及び図面によって説明した実施形態に限定されるものではなく、例えば次のような実施形態も本発明の技術的範囲に含まれる。
（１）上記実施形態では、天井板６１，１６１，２６１，３６１を囲部３１とスリーブ部３２との間に配した構成としたが、本発明はこのような態様に限定されるものではなく、光ファイバＦ１と光電素子２０と間の光路が確保できれば、例えば、天井板を送信側領域４０Ｌや受信側領域４０Ｒ内に配してもよい。
（２）上記実施形態では、ハウジング３０と回路基板５０とをフロー半田付けにより固定する構成としたが、本発明はこのような態様に限定されるものではなく、例えば、ハウジング３０と回路基板５０とを接着剤やねじによって固定してもよい。
（３）上記実施形態では、庇部６５，１６５，２６５，３６５をハウジング３０の外面から外方に向かって真っ直ぐ突出した形態に構成したが、本発明はこのような態様に限定されるものではなく、例えば、ハウジング３０の外面から突出した後、囲部３１を囲うように下側に屈曲させた形態に構成してもよい。
（４）上記実施形態では、回路基板５０の上面と光電素子２０Ｌ，２０Ｒの接続をリフローはんだ付け等としたが、本発明はこのような態様に限定されるものではなく、例えば、導電性を有した銀ペースト剤によるダイボンディングやフリップチップ実装で行ってもよい。
【符号の説明】
【００４４】
１０，１１０，２１０，３１０：光ユニット
２０Ｌ：送信側光電素子(発光型光電素子)
２０Ｒ：受信側光電素子(受光型光電素子)
３０：ハウジング
３３：スリーブ
３６Ｌ：送信側レンズ
３６Ｒ：受信側レンズ
４０Ｌ：送信側領域
４０Ｒ：受信側領域
５０：回路基板
６０，１６０，２６０，３６０：金属シェル
６１，１６１，２６１，３６１：天井板
６４，１６４，２６４，３６４：遮光壁
６５，１６５，２６５，３６５：庇部
Ｆ１：光ファイバ
Ｌ１：出力光
Ｌ２：入力光
【図１】
2013228435.tif 000003
【図２】
2013228435.tif 000004
【図３】
2013228435.tif 000005
【図４】
2013228435.tif 000006